(57)【要約】【課題】狭い敷地であっても住居スペースを広く確保することができ、また上階張出し構造とすることで、張出し部にその下方空間の屋根としての機能をもたせて有効利用が可能となる。【解決手段】梁３、柱、床材等用いた骨組み構造を対象としており、平面視で略四角形状をなし、居室部をなす２階部分Ｆ２における一方の対向する外壁５Ａ、５Ａが１階部分Ｆ１の外壁５Ｂよりも外方に向けて張り出す張出し部２を形成させた木造住宅１を提供する。【選択図】図１
2012246728.tif 000002
【特許請求の範囲】
【請求項１】
居室部をなす住宅本体の上階部分と、該上階部分を支持する主軸梁と、が平面視で下階部分よりも外方に向けて張り出していることを特徴とする上階張出し構造。
【請求項２】
前記主軸梁は、前記上階部分の外壁よりも平面視で外方に向けて突出していることを特徴とする請求項１に記載の上階張出し構造。
【請求項３】
請求項１または２に記載の上階張出し構造を有することを特徴とする木造建物。
【発明の詳細な説明】
【技術分野】
【０００１】
本発明は、上階張出し構造及び木造建物に関する。
【背景技術】
【０００２】
従来、木造住宅では、軸組み工法が広く知られている。このような軸組み工法では、一般的に各階にわたって柱が連続して通っており、２階建の建物であれば、１階から２階まで同軸に連続する柱が配置される構造となっている（例えば、特許文献１参照）。
そして、一般的には、１階部分と２階部分との外壁が鉛直方向に連続的に建ち上がって構築されている。
【先行技術文献】
【特許文献】
【０００３】
【特許文献１】特開２００８−１２１２４５号公報
【発明の概要】
【発明が解決しようとする課題】
【０００４】
しかしながら、従来の木造建物では、以下のような問題があった。
すなわち、近年では、自動車を所有している家族が多く、狭い敷地の住宅では、駐車場を確保しようとすると住宅の建築面積が小さくなり、住居スペースを十分に確保できなくなるというという問題があった。
また、雨天時に家の周囲に雨宿りできる空間があると、自動車への乗り降り時等でも雨に濡れずに済むことや、建物に雨が直接当たるのを防ぐことで、建物の耐久性を高めることができることから、このような部分的に屋根の機能をもつ住宅が求められており、その点で改良の余地があった。
【０００５】
本発明は、上述する問題点に鑑みてなされたもので、狭い敷地であっても住居スペースを広く確保することができ、建ぺい率が小さな場合であっても建物の容積率を大きくすることが可能な上階張出し構造及び木造建物を提供することを目的とする。
また、本発明の他の目的は、上階張出し構造とすることで、張出し部にその下方空間の屋根としての機能をもたせて有効利用が可能となる上階張出し構造及び木造建物を提供することである。
【課題を解決するための手段】
【０００６】
上記目的を達成するため、本発明に係る上階張出し構造では、居室部をなす住宅本体の上階部分と、上階部分を支持する主軸梁と、が平面視で下階部分よりも外方に向けて張り出していることを特徴としている。
【０００７】
また、本発明に係る木造建物では、上述した上階張出し構造を有することを特徴している。
【０００８】
本発明では、居室部からなる上階部分が下階部分よりも外方に向けて張り出した張出し部を形成することで、この張出し部の下方に空間を設けることができ、張出し部を該空間の上方を覆う屋根として機能させることができる。そのため、下階部分が１階で上階部分が２Ｆである場合には、２階部分の張出し部によって、１階部分の外側に軒下空間を形成することができ、この軒下空間を例えば駐車場、テラス、物置、バッテリー（蓄電池）置き場、エアコンの室外機などのスペースとして有効的に利用することが可能となる。
【０００９】
また、上階部分の平面積を下階部分よりも大きくすることで、敷地面積が小さな土地であっても、居住スペースを広く取ることができ、しかも上述したように駐車スペース等も十分に確保した住宅を設けることができる。
さらに、上階部分を下階部分よりも張り出して大きくすることで、上階部分に取り付けられる屋根の面積も増大させることも可能となることから、例えば屋根を利用した太陽光発電用のパネルの設置面積を増やすことができるという利点もある。
【００１０】
また、本発明に係る木造建物における上階張出し構造では、主軸梁は、上階部分の外壁よりも平面視で外方に向けて突出していてもよい。
この場合、主軸梁によって上階部分を下方より確実に支持できる。そのうえ、上階部分の外壁よりも平面視で外方に向けて突出する突出部を利用し、例えば突出部の主軸梁に屋根材を設置して、その下方をテラスとして使用する等、幅広い用途の付加設備を構築することも可能である。
【発明の効果】
【００１１】
本発明の上階張出し構造及び木造建物によれば、上階部分に張出し部を設けることで、狭い敷地であっても住居スペースを広く確保することができ、建ぺい率が小さな場合であっても建物の容積率を大きくすることが可能となる。
また、上階張出し構造とすることで、張出し部にその下方空間の屋根としての機能をもたせた有効利用が可能となり、雨が下階部分の外壁に直接当たるのを防ぐことができ、建物の耐久性を高めることができる。そして、上階部分から落ちる雨が下階部分の外壁よりも離れた位置に落ちるので、上階部分と下階部分との間に雨樋が不要となり、材料コストが抑えられるうえ、メンテナンスにかかる手間やコストを低減することができる。
【図面の簡単な説明】
【００１２】
【図１】本発明の実施の形態による上階張出し構造を備えた木造住宅の概略斜視図である。
【図２】木造住宅の側面図であって、図１に示すＡ−Ａ線矢視図である。
【図３】木造住宅の側面図であって、図１に示すＢ−Ｂ線矢視図である。
【図４】２階部分を支持する主軸梁と連結梁の軸組み状態を示す平面図である。
【発明を実施するための形態】
【００１３】
以下、本発明の実施の形態による上階張出し構造及び木造建物について、図面に基づいて説明する。
【００１４】
図１の符号１は、居室部をなす２階部分Ｆ２（上階部分）の外壁５Ａが１階部分Ｆ１（下階部分）の外壁５Ｂよりも外方に向けて張り出す張出し部２を形成させた本実施の形態の上階張出し構造の木造住宅（木造建物）を示している。つまり、この木造住宅１の２階部分Ｆ２の面積は、１階部分Ｆ１よりも大きくなっている。
【００１５】
木造住宅１は、図２および図３に示すように、梁３、柱４、床材等用いた骨組み構造を対象としており、平面視で略四角形状をなし、そのうちの２階部分Ｆ２における一方の対向する外壁５Ａ、５Ａ（図２で紙面の左右両側の外壁）が１階部分Ｆ１の外壁５Ｂよりも外側に突出している。ここで、１階部分Ｆ１および２階部分Ｆ２は、それぞれの居室部をなす住宅本体の領域をいう。つまり、本実施の形態でいう２階部分Ｆ２には、バルコニーや庇などを含まない住居部分のみをいう。
なお、梁３において、２階部分Ｆ２が１階部分Ｆ１よりも突出する方向を長軸方向Ｘとし、この長軸方向Ｘに直交する水平面内の方向を短軸方向Ｙという。
【００１６】
図１及び図４に示すように、２階部分Ｆ２を支持する梁３（１階部分Ｆ１と２階部分Ｆ２との間の梁）は、長軸方向Ｘに向けて延びる複数本（ここでは３本）の主軸梁３Ａと、主軸梁３Ａ、３Ａ同士の間で短軸方向Ｙに向けて延びる複数本の連結梁３Ｂとからなる。なお、主軸梁３Ａおよび連結梁３Ｂは、大梁であって、これら梁３Ａ、３Ｂ間には、さらに小梁（図示省略）が架設される。
【００１７】
図１に示すように、３本の主軸梁３Ａは、平面視で２階部分Ｆ２の長軸方向Ｘに沿って延びる一対の外壁５Ｃ、５Ｃと、それら符号５Ｃ、５Ｃの外壁同士の中間部分の位置に設けられ、それぞれが等間隔で配列されている。そして、主軸梁３Ａの長さ寸法は、２階部分Ｆ２よりもさらに突出する適宜な長さとなっている。なお、とくに図示しないが、この主軸梁３Ａの突出部３ａを長く延長しても良い。
【００１８】
複数の連結梁３Ｂは、主軸梁３Ａ、３Ａ同士の間で所定間隔をもって配列され、その両側（符号５Ａの外壁側）の一対の連結梁３Ｂ、３Ｂは平面視で２階部分Ｆ２の短軸方向Ｙに沿って延びる一対の外壁５Ａ、５Ａに位置している。そして、連結梁３Ｂの材軸方向の両端は、主軸梁３Ａに対して突合せにより接合されている。
【００１９】
２階部分Ｆ２を構成する梁３（主軸梁３Ａ、連結梁３Ｂ）は、１階部分Ｆ１の梁３Ｃ（図２、図３）よりも大きいものが使用されている。例えば、１階部分Ｆ１の梁３Ｃの高さ寸法が一般的な２０ｃｍ、或いは２４ｃｍの場合において、２階部分Ｆ２の梁３Ａ、３Ｂは３０ｃｍとなる。
【００２０】
柱４は、１階部分Ｆ１から２階部分２Ｆまで同軸となるように立設して配置されている。そして、２階部分Ｆ２の梁３（主軸梁３Ａ、連結梁３Ｂ）と交差する部分については、柱４を梁３に突き当てて接合されている。
【００２１】
次に、上述した上階張出し構造とこれを備えた木造住宅１の作用について図面に基づいて詳細に説明する。
図２に示すように、居室部からなる２階部分Ｆ２が１階部分Ｆ１よりも外方に向けて張り出した張出し部２を形成することで、この張出し部２の下方に空間Ｓを設けることができ、張出し部２を該空間Ｓの上方を覆う屋根として機能させることができる。そのため、２階部分Ｆ２の張出し部２によって、１階部分Ｆ１の外側に軒下空間を形成することができ、この軒下空間を駐車場、テラス、物置、バッテリー（蓄電池）置き場、エアコンの室外機などのスペース（図２では駐車スペース）として有効的に利用することが可能となる。
【００２２】
また、２階部分Ｆ２の平面積を１階部分Ｆ１よりも大きくすることで、敷地面積が小さな土地であっても、居住スペースを広く取ることができ、しかも上述したように駐車スペース等も十分に確保した住宅を設けることができる。
さらに、２階部分Ｆ２を１階部分Ｆ１よりも張り出して大きくすることで、２階部分Ｆ２の屋根６の面積も増大させることも可能となることから、屋根６を利用した太陽光発電用のパネル７（図２、図３参照）の設置面積を増やすことができるという利点もある。
【００２３】
また、主軸梁３Ａが２階部分Ｆ２の外壁よりも平面視で外方に向けて突出しているので、この主軸梁３Ａによって２階部分Ｆ２を下方より確実に支持できる。そのうえ、２階部分Ｆ２の外壁５よりも平面視で外方に向けて突出する突出部３ａを利用し、例えば突出部３ａの主軸梁３Ａに屋根材を設置して、その下方をテラスとして使用する等、幅広い用途の付加設備を構築することも可能である。
【００２４】
上述のように本実施の形態による上階張出し構造及び木造建物では、２階部分Ｆ２に張出し部２を設けることで、狭い敷地であっても住居スペースを広く確保することができる。つまり、建ぺい率が小さな場合であっても建物の容積率を大きくすることが可能となる。
また、上階張出し構造とすることで、張出し部２にその下方空間の屋根としての機能をもたせた有効利用が可能となり、雨が１階部分Ｆ１の外壁５Ｂに直接当たるのを防ぐことができ、建物の耐久性を高めることができる。
そして、２階部分Ｆ２から落ちる雨が１階部分Ｆ１の外壁５Ｂよりも離れた位置に落ちるので、２階部分Ｆ２と１階部分Ｆ１との間に雨樋が不要となり、材料コストが抑えられるうえ、メンテナンスにかかる手間やコストを低減することができる。
【００２５】
以上、本発明による上階張出し構造及び木造建物の実施の形態について説明したが、本発明は上記の実施の形態に限定されるものではなく、その趣旨を逸脱しない範囲で適宜変更可能である。
例えば、本実施の形態では２階建の木造住宅１を適用対象としているが、これに限定されることはなく、３階建の木造住宅でその２階部分と３階部分を同一の平面積として１階部分よりも張り出させた構造であってもよく、或いは３階部分を２階以下の部分よりも張り出させた構造であってもかまわない。
そして、本実施の形態では２階部分Ｆ２の対向する外壁５Ａ、５Ａの両者が１階部分Ｆ１の外壁５Ｂよりも張り出した張出し部２を形成する構造となっているが、対向する外壁５Ａ、５Ａのうちいずれか一方の外壁５Ａのみが張り出す構成であってもかまわない。
【００２６】
また、本実施の形態では平面視で四角形状の住宅としているが、家の形状にはとくに制限されることはない。
さらに、梁３（主軸梁３Ａ、連結梁３Ｂ）の寸法、本数、配置、突出長、張出し部２の範囲などの構成については、建てる住宅の形状、広さ、間取などの条件に応じて適宜設定することができる。
さらにまた、張出し部２の下方の空間Ｓの使用用途は、駐車スペースに限定されることはなく、上述したようにテラス、物置、バッテリー（蓄電池）置き場、エアコンの室外機などのスペースとして有効的に利用することが可能である。
【符号の説明】
【００２７】
１  木造住宅（木造建物）
２  張出し部
３  梁
３ａ  突出部
３Ａ  主軸梁
３Ｂ  連結梁
４  柱
５Ａ、５Ｂ、５Ｃ  外壁
６  屋根
Ｆ１  １階部分（下階部分）
Ｆ２  ２階部分（上階部分）
Ｓ  空間  
【図１】
2012246728.tif 000003
【図２】
2012246728.tif 000004
【図３】
2012246728.tif 000005
【図４】
2012246728.tif 000006